(57)【要約】【課題】駆動回路の変更を要さずに、表示電極対間に高電圧の前縁パルスを有するパルス電圧波形を印加して、高効率でかつ高輝度な維持駆動を可能とする。【解決手段】前面ガラス基板２上に、走査電極３および維持電極４からなる複数の表示電極対、および前面側誘電体層７を設けた前面板１と、前面ガラス基板との間に放電空間を形成する背面ガラス基板９上に、表示電極対と立体交差するデータ電極１０、および放電空間を区画する隔壁１２を形成し、隔壁間に蛍光体層１３を設けた背面板８とを備える。発光対象の放電セルを選択する書込み期間と、選択した放電セルの表示電極対に維持パルス電圧を印加して維持放電を発生させる維持期間とにより駆動する構成とし、維持パルスの立ち上がり（下がり）時にリンギングによるオーバー（アンダー）シュートが発生するように、前面板の構成要素と背面板の構成要素のうちの少なくとも一つに磁性部材を配置する。【選択図】図１
2010050047.tif 000002
【特許請求の範囲】
【請求項１】
前面ガラス基板上に、走査電極および維持電極からなる表示電極対を複数配列して形成するとともに前記表示電極対を覆うように前面側誘電体層を設けた前面板と、前記前面ガラス基板との間に放電空間を形成するように対向配置される背面ガラス基板上に、前記表示電極対と立体交差するように複数のデータ電極を形成して、前記データ電極と前記表示電極対の交差部に各々放電セルを形成しかつ前記放電空間を区画する隔壁を形成するとともに前記隔壁間に蛍光体層を設けた背面板とを備え、
発光させるための放電セルを選択する書込み期間と、この書込み期間で選択した放電セルの前記表示電極対に維持パルス電圧を印加して維持放電を発生させる維持期間とを設けて駆動するように構成し、かつ前記維持放電を発生させるための前記維持パルスの立ち上がり時または立ち下がり時にリンギングによるオーバーシュートまたはアンダーシュートが発生するように、前記前面板の構成要素と前記背面板の構成要素のうちの少なくとも一つに、磁性部材を配置したことを特徴とするプラズマディスプレイパネル。
【請求項２】
前記隔壁に磁性部材を配置した請求項１に記載のプラズマディスプレイパネル。
【請求項３】
放電セルの各境界部にブラックストライプを設け、かつそのブラックストライプに磁性部材を配置した請求項１に記載のプラズマディスプレイパネル。
【請求項４】
前記前面板の表示電極対を透明電極とこの透明電極に接続するバス電極により構成し、かつ前記バス電極の上面部に磁性部材を配置した請求項１に記載のプラズマディスプレイパネル。
【請求項５】
前記バス電極を２層構造とし、かつ前記バス電極の上層部に磁性部材を配置した請求項４に記載のプラズマディスプレイパネル。
【請求項６】
前記磁性部材は、金属酸化物系の磁性体または金属磁性体により構成した請求項２から５のいずれかに記載のプラズマディスプレイパネル。
【請求項７】
前記維持パルスの立ち上がりまたは立ち下がり時に発生するリンギングによるオーバーシュート・アンダーシュートの波高値は、維持パルス電圧の設定電圧値の１．２倍以上になるように設定した請求項１に記載のプラズマディスプレイパネル。
【請求項８】
表示画像に基づき各放電セルに設定される発光輝度に応じて、前記維持パルスの急峻度を異ならせ、維持パルスの立ち上がりまたは立ち下がり時の緩急により発光輝度を制御するように構成した請求項１に記載のプラズマディスプレイパネル。
【請求項９】
所定の輝度に対して、前記維持パルスのパルス数を低減し、かつ各パルスの立ち上がりまたは立ち下がりを急峻にすることにより同一の輝度を得るように制御する請求項１に記載のプラズマディスプレイパネル。
【請求項１０】
前記維持放電を発生させるための前記維持パルスの立ち上がりまたは立ち下がり時の緩急に、前記維持パルスの周期の長短を組み合わせることにより発光輝度を制御するように構成した請求項１に記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
ＡＣ型として代表的な交流面放電型プラズマディスプレイパネル（以下、「パネル」ともいう）の構成の一例を、図７に示す。図７において、前面板１は、前面ガラス基板２の表面上に、面放電を行う走査電極３および維持電極４からなる表示電極対５を平行に配列して形成されている。走査電極３および維持電極４はそれぞれ、前面ガラス基板２の表面上に形成された透明電極３ａ、４ａと、その上に形成されたバス電極３ｂ、４ｂとで構成される。バス電極３ｂ、４ｂは、例えば、銀（Ａｇ）とその結着材であるガラスフリット材料からなる。そして表示電極対５を覆うように前面側誘電体層６が形成され、その上に保護膜７が形成されている。
【０００３】
背面板８は、背面ガラス基板９の表面上に平行に配列されたデータ電極１０を有し、その上が背面側誘電体層１１で覆われている。そして、背面側誘電体層１１の上に隔壁１２が形成されている。隔壁１２は、データ電極１０に平行な方向に伸びて形成された縦隔壁１２ａと、それと直交する方向に形成された横隔壁１２ｂとで形成された井桁形状をしている。隔壁１２の側面と背面側誘電体層１１の表面とには、データ電極１０に対応して赤色（Ｒ）蛍光体層１３ｒ、緑色（Ｇ）蛍光体層１３ｇ、青色（Ｂ）蛍光体層１３ｂ（総称して「蛍光体層１３」ともいう）が塗布形成されている。
【０００４】
前面板１と背面板８とは、表示電極対５とデータ電極１０とがマトリックスを形成するように対向させて結合されている。前面板１と背面板８との間隙には、放電空間１４が形成される。そして、前面板１と背面板８との外周部はガラスフリットなどの封着材によって封着され（図示せず）、ネオン（Ｎｅ）とキセノン（Ｘｅ）の混合ガスからなる放電ガスが封入されている。放電ガスは、例えば、Ｘｅの割合が１０％のものが用いられ、約４５０Ｔｏｒｒ（約６０ｋＰａ）の圧力で封入される。表示電極対５とデータ電極１０とが立体交差する部分の放電空間１４に、隔壁１２によって区画された放電セル１５が形成されている。前面板１の表示電極対５の間には、横隔壁１２ｂの上部に対向するようにブラックストライプ１６が形成されている。図示は省略するが、縦方向にも縦ブラックストライプが形成されている。
【０００５】
図８は、上記パネルの電極配列図である。行方向にｎ本の走査電極ＳＣＮ１〜ＳＣＮｎ（図７の走査電極３）およびｎ本の維持電極ＳＵＳ１〜ＳＵＳｎ（図７の維持電極４）が交互に配列され、列方向にｍ本のデータ電極Ｄ１〜Ｄｍ（図７のデータ電極１０）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に、放電セルＣｉｊ（図７の放電セル１５）が形成され、従って、放電セル１５の個数は（ｍ×ｎ）個である。
【０００６】
このような構成のパネルにおいて、ガス放電により紫外線を発生させ、発生した紫外線でＲ、Ｇ、Ｂの各色の蛍光体層１３を励起して発光させることによりカラー表示を行う。このパネルは、１フィールド期間を複数のサブフィールド（以下、「ＳＦ」と略記する）に分割し、発光させるＳＦの組み合わせによって階調表示を行う。各ＳＦはそれぞれ所定の輝度重みを持つ。また、各ＳＦは初期化期間、書き込み期間および維持期間を有する。そして、画像データを表示するために、初期化期間、書き込み期間および維持期間のそれぞれで異なる信号波形が各電極に印加される。
【０００７】
初期化期間には、例えば、正および負の電圧をすべての走査電極３に印加し、走査電極３および維持電極４を覆う前面側誘電体層６上の保護膜７および蛍光体層１３上に必要な壁電荷を蓄積する。書き込み期間では、すべての走査電極３に、順次負の走査パルスを印加する走査を行う。表示すべきデータがある場合、走査電極３を走査している間に、データ電極１０に正のデータパルスを印加すると、走査電極３とデータ電極１０との間で放電が起こり、走査電極３と維持電極４との間にも放電が起こる。このように書き込み放電が発生する。その結果、走査電極３上と維持電極４上の保護膜７の表面に壁電荷が形成される。
【０００８】
続く維持期間では、走査電極３または維持電極４に図９（ａ）に示すような維持パルスを印加して、一定の期間、走査電極３と維持電極４との間に放電を維持するのに十分な電圧を印加する。これにより、書き込み期間にデータパルスが印加された放電セルでは、走査電極３と維持電極４との間に、図９（ｂ）に示すような維持放電が発生して紫外線が発生する。発生した紫外線は、蛍光体層１３を励起発光させる。書き込み期間においてデータパルスが印加されなかった放電セル１５では、維持放電は発生せず蛍光体層１３の励起発光は起こらない。発光の輝度は、維持パルスの電圧Ｖｓｕｓと維持パルスのパルス数によって決まる。
【０００９】
ところで、パネルの大画面化、高精細度化にともない、パネルの発光効率を向上させ、輝度を向上させることが要求されている。例えば、特許文献１あるいは特許文献２には、一回の維持放電を発生させる表示電極対間のパルス形状を、短時間かつ高い電位差の前縁パルスと、長時間かつ低い電位差の本体パルスとを組み合わせたパルス形状にすることにより、高効率でかつ高輝度な維持パルスの駆動を行なうことが開示されている。
【００１０】
通常、矩形パルスで維持パルスを駆動した場合、発光効率は維持パルスの電圧が低いほど高くなる。一方、発光輝度は維持パルスの電圧が高いほど高くなる。したがって、維持パルスの電圧を低くして発光効率を高めると発光輝度が低下し、維持パルスの電圧を高くして発光輝度を高くすると発光効率が低下してしまう。
【００１１】
これに対し、特許文献１、２に開示されたようなパルス形状を適用した場合については、発光効率は本体パルスの電圧が低いほど高いが、前縁パルスの電圧にほとんど依存しない。また、本体パルスの電圧が低くとも、前縁パルス電圧を高くすることにより発光輝度は高くなる。従って、本体パルスの電圧をなるべく低くすることで発光効率を高め、前縁パルスの電圧 を高くすることで発光輝度を高めることができる。この構成をとれば、高効率でかつ高輝度な維持パルスの駆動を行なうことができる。
【００１２】
この効果は、放電セル内における放電の成長初期において高電圧を印加することにより、放電の成長を効果的に高めることが出来ること、そして、放電が成長した状態でプラズマ状態にあるセル内の電界を弱めることにより、イオンの運動エネルギーとして消費されてしまう電力を節減できることによって達成されるものとされている。
【特許文献１】特開平１０−３３３６３５号公報
【特許文献２】特開平１１−３５２９２７号公報
【発明の開示】
【発明が解決しようとする課題】
【００１３】
維持放電の際の表示電極対間に印加される電圧を上述のような、短時間かつ高い電位差の前縁パルスと、長時間かつ低い電位差の本体パルスとを組み合わせたパルス形状とするために、特許文献１には、前縁パルス部分の高電圧と、本体パルス部分の低電圧をそれぞれ電極間に印加する構成が記載されている。また、特許文献２には、前縁部分にオーバーシュートを有する波形を発生させるための駆動回路が記載されている。オーバーシュート波形が、短時間かつ高い電位差の前縁パルスを形成する。
【００１４】
しかし、特許文献１のような維持パルスの波形を印加する場合、その波形を出力する駆動回路は、短時間かつ高い電位差の前縁パルスを生成するための駆動回路と、長時間かつ低い電位差の本体パルスを生成するための駆動回路の２種類の回路が必要になるため、駆動回路が複雑且つ部品点数が増加する。
【００１５】
また特許文献２のように、上記効果を得るための駆動波形を駆動回路により生成する場合、パルスの立ち上がり時の電圧を高くするために、スイッチ素子の耐圧を高くする必要があり、駆動回路の部品点数の増加を招く。すなわち、スイッチ素子のドレイン−ソース間の最大絶対定格を高くすると、同じチップ面積あたりの抵抗値が増加する。従って、同程度の電流を流すには、スイッチ素子を並列に接続して個数を増やす必要があるため、回路の部品点数が増加する。
【００１６】
本発明は、駆動回路の構成を変更することなく、表示電極対間に高電圧の前縁パルスを有するパルス電圧波形を印加して、高効率でかつ高輝度な維持パルスの駆動を行なうことが可能なプラズマディスプレイパネルを提供することを目的とする。
【００１７】
また、そのようなプラズマディスプレイパネルの特性を活用した駆動方法を提供することを目的とする。
【課題を解決するための手段】
【００１８】
本発明のプラズマディスプレイパネルは、前面ガラス基板上に、走査電極および維持電極からなる表示電極対を複数配列して形成するとともに前記表示電極対を覆うように前面側誘電体層を設けた前面板と、前記前面ガラス基板との間に放電空間を形成するように対向配置される背面ガラス基板上に、前記表示電極対と立体交差するように複数のデータ電極を形成して、前記データ電極と前記表示電極対の交差部に各々放電セルを形成しかつ前記放電空間を区画する隔壁を形成するとともに前記隔壁間に蛍光体層を設けた背面板とを備え、発光させるための放電セルを選択する書込み期間と、この書込み期間で選択した放電セルの前記表示電極対に維持パルス電圧を印加して維持放電を発生させる維持期間とを設けて駆動するように構成し、かつ前記維持放電を発生させるための前記維持パルスの立ち上がり時または立ち下がり時にリンギングによるオーバーシュートまたはアンダーシュートが発生するように、前記前面板の構成要素と前記背面板の構成要素のうちの少なくとも一つに、磁性部材を配置したことを特徴とする。
【発明の効果】
【００１９】
上記構成のプラズマディスプレイパネルによれば、パネルの構成要素のインダクタンスが増大されていることにより、表示電極対に対して駆動回路から矩形の維持パルスが印加されたときに、リンギングが発生し易く、且つリンギングのピーク値が大きくなる。その結果、放電空間に印加される電圧は、立ち上がり時の電圧が、駆動回路から印加された維持パルスの電圧よりも高くなり、高電圧の前縁パルスを有する駆動パルス波形を印加したのと同じ効果が得られる。パネルと駆動回路の接続部での駆動波形は通常の波形と変わらないため、駆動回路の部品点数を増加させることなく、高効率でかつ高輝度な維持パルスの印加が可能となる。
【発明を実施するための最良の形態】
【００２０】
本発明のプラズマディスプレイパネルは、上記構成を基本として、以下のような態様をとることができる。
【００２１】
すなわち、前記隔壁に磁性部材を配置することができる。
【００２２】
また、放電セルの各境界部にブラックストライプを設け、かつそのブラックストライプに磁性部材を配置することができる。
【００２３】
また、前記前面板の表示電極対を透明電極とこの透明電極に接続するバス電極により構成し、かつ前記バス電極の上面部に磁性部材を配置することができる。
【００２４】
また、前記バス電極を２層構造とし、かつ前記バス電極の上層部に磁性部材を配置することができる。
【００２５】
また、前記磁性部材は、金属酸化物系の磁性体または金属磁性体により構成することができる。
【００２６】
また、前記維持パルスの立ち上がりまたは立ち下がり時に発生するリンギングによるオーバーシュート・アンダーシュートの波高値は、維持パルス電圧の設定電圧値の１．２倍以上になるように設定することが好ましい。
【００２７】
また、表示画像に基づき各放電セルに設定される発光輝度に応じて、前記維持パルスの急峻度を異ならせ、維持パルスの立ち上がりまたは立ち下がり時の緩急により発光輝度を制御するように構成することができる。
【００２８】
また、所定の輝度に対して、前記維持パルスのパルス数を低減し、かつ各パルスの立ち上がりまたは立ち下がりを急峻にすることにより同一の輝度を得るように制御する構成とすることができる。
【００２９】
また、前記維持放電を発生させるための前記維持パルスの立ち上がりまたは立ち下がり時の緩急に、前記維持パルスの周期の長短を組み合わせることにより発光輝度を制御するように構成することができる。
【００３０】
以下、本発明の実施形態について図面を参照しながら説明する。
【００３１】
（実施の形態１）
図１は、本発明の実施の形態１におけるプラズマディスプレイパネルの構成の要部を示す断面図である。このパネルの基本的な構造は、図７に示したパネルと同様である。図１は、図７の放電セル１５におけるデータ電極１０方向に沿った断面の構造を示す。従って、図７と同一の要素については、同一の参照符号を付して、説明の繰り返しを省略する。図２は、図１に対応する平面構成を示す平面図である。
【００３２】
本実施の形態のパネルは、縦隔壁２０ａ、横隔壁２０ｂ（両隔壁を総称して隔壁２０と記述する）が、図７に示した従来例のパネルと相違する。すなわち隔壁２０は、その通常の材質（主要材質）中に、粉末状の磁性体を分散して形成されている。隔壁２０は、例えば低軟化点ガラスフリットと有機バインダとを含むペーストを焼成して形成されるが、そのペースト中に、粉末状の磁性体を分散して焼成されている。粉末状の磁性体により、隔壁２０が主要材質のみで形成された場合に比べて、各電極のインダクタンスが増大する。それにより、例えば、走査電極３及び維持電極４のインダクタンスが、従来に比べて大きい所定の値に設定されている。
【００３３】
後述するように、インダクタンス増大の効果を得るために粉末状の磁性体を分散させる対象の要素は、隔壁２０に限らず、前面ガラス基板２、透明電極３ａ、４ａ、バス電極３ｂ、４ｂ、前面側誘電体層６、及びブラックストライプ１６、および縦ブラックストライプの少なくとも一つに粉末状の磁性体を分散させることで、本実施の形態の効果を得ることが可能である。
【００３４】
粉末状の磁性体を分散させてインダクタンスを増大させることによる効果について、図３を参照して説明する。図３Ｖ（a）〜Ｖ（c）は、維持放電時に印加される維持パルスの電圧波形およびそれによる作用を示す波形図である。図３（Ｓ）は、図３Ｖ（a）〜Ｖ（c）に示される各電位差について、パネルの電極における対応する部位を示す平面図である。
【００３５】
Ｖ（ａ）は走査電極ＳＣＮ１の入力端とＧＮＤとの間の電位差、Ｖ（ｂ）は維持電極ＳＵＳ１の入力端の反対側の端とＧＮＤとの間の電位差、Ｖ（ｃ）は走査電極ＳＣＮ１の入力端の反対側の端と維持電極ＳＵＳ１の入力端との間の電位差を、それぞれ示す図である。ここで、Ｖ（ａ）−Ｖ（ｂ）は、ＳＣＮ１の入力端とＳＵＳ１の入力端の反対側の端との間の電位差となり、Ｖ（ｃ）と同じ波形となる。
【００３６】
上述のように、維持放電を発生させる際には、走査電極３と維持電極４のいずれか一方に、図３Ｖ（ａ）に示すような維持パルスの電圧Ｖｓｕｓを印加する。また他方の電極には、接地電位ＧＮＤを印加する。それにより、走査電極３と維持電極４との間に、放電を維持するために必要な電圧が印加され、放電が発生する。図３Ｖ（ａ）に示すような維持パルスの電圧Ｖｓｕｓの印加により、放電電流は、パルス印加から数十ナノ秒〜数百ナノ秒遅れて流れ始め、さらに数十ナノ秒〜数百ナノ秒遅れてピークを持ち、その後数十ナノ秒〜数百ナノ秒持続して終了する。
【００３７】
このような維持パルスの印加に際して、パネル電極によるインダクタンスとパネル容量に基づく共振により、図３Ｖ（ｂ）に示すようなリンギングが発生する。本実施の形態では、隔壁２０に粉末状の磁性体を分散させてインダクタンスを増大させてあるため、リンギングが発生し易く且つリンギングのピーク値が大きくなる。このリンギング波形が、図３Ｖ（ａ）の維持パルスの電圧Ｖｓｕｓに重畳されて、放電空間には、図３Ｖ（ｃ）に示すような、維持パルスの波形の前縁部分に大きなオーバーシュートを有する電圧が印加される。
【００３８】
その結果、表示電極対間から放電空間に印加される電圧は、立ち上がり時の電圧が、駆動回路から印加される維持パルスの電圧よりも高くなり、高電圧の前縁パルスを有する維持パルスの波形を印加したのと同じ効果が得られ、高効率でかつ高輝度な維持パルスの駆動を行うことが可能となる。ここで、図３では、表示電極対間の端のみを記載したが、各電極の中央部の表示電極対間でも表示電極対間の端と同じようなリンギングを含む維持パルスの波形が印加される。
【００３９】
また、本発明で使用可能なリンギング波形の一例を、図４に示す。このようなリンギングは、オーバーシュートの波高値が、維持パルスの電圧Ｖｓｕｓの設定電圧値の１．２倍以上に達すれば、輝度を向上させる実用的に十分な効果が得られた。なお、オーバーシュートの波高値については、放電セルにおいて、維持放電を発生させると、そのときに流れる放電電流により波高値が低くなることから、維持放電を発生させない、すなわち非点灯時の波高値を基準として決定する。
【００４０】
本実施の形態によれば、パネルの変更のみで、駆動回路から表示電極対に印加される駆動波形は通常の波形と変わらないため、駆動回路の部品点数の増加は不要である。また、走査電極３、維持電極４のいずれも、駆動回路から印加される電圧にはオーバーシュートがないので、駆動回路に使われるスイッチの耐圧は低くてもよい。
【００４１】
本実施の形態においてパネルの要素に粉末として分散される磁性体としては、軟磁性体材料、例えば、鉄・ケイ素鋼・パーマロイ・センダスト・パーメンジュール・ソフトフェライト・アモルファス磁性合金・ナノクリスタル磁性合金等を用いることができる。このうち、ソフトフェライト以外は金属磁性体であり、金属光沢をもった金属色を呈する。金属酸化物系であるソフトフェライトは、黒色を呈する。それらの色の相違および適用箇所に応じて、以下のように使い分けをすることが望ましい。
【００４２】
維持放電に大きな効果を得るためには、前面ガラス基板・透明電極・バス電極・前面誘電体層・ブラックストライブ、縦ブラックストライプ・隔壁に、以下の点を考慮して磁性体粉末を分散させる。
【００４３】
（１）前面ガラス基板・透明電極・前面誘電体層は透明であることが重要である。それらの要素に磁性体を多量に分散させると、透明度が低下し、パネル外部への発光の放出が妨げられてパネルの輝度が低下するため、分散量は少量にすることが望ましい。
【００４４】
（２）ブラックストライプ・縦ブラックストライプに金属磁性体を分散させる場合は、少量にする。金属磁性体の光沢が作用すると、反射抑止効果が阻害されるためである。一方、ソフトフェライトを分散させる場合は、多量の使用が可能である。黒色を呈するので、反射抑止効果があるからである。
【００４５】
（３）隔壁に金属磁性体を分散させる場合は、多量に使用可能である。金属光沢があると反射効果があるので、蛍光体の光を前面ガラス基板から十分放出することができるからである。一方、ソフトフェライトを分散させる場合は、少量にする。黒いと反射効果が低減するので、蛍光体の光を前面ガラス基板から十分放出することができないからである。
【００４６】
（４）バス電極の上面部に金属磁性体を分散させる場合は、少量を用いる。金属光沢が作用すると、反射抑止効果がなくなるためである。一方、ソフトフェライトを分散させる場合は、多量の使用が可能である。黒色を呈するので、反射抑止効果が得られるからである。
【００４７】
（５）バス電極の下面部に金属磁性体を分散させる場合、多量の使用が可能である。金属光沢があると反射効果が大きいので、多重反射により発光を前面ガラス基板から十分取り出すことができるからである。ソフトフェライトを分散させる場合は、少量とする。黒いと反射効果が低いので、発光を前面ガラス基板から取り出す効果が低いからである。
【００４８】
一方、パネルの要素に磁性体粉末を分散させることにより、書き込み放電にも効果が得られる。そのためには、背面ガラス基板・隔壁・データ電極あるいは背面誘電体層に適用する。それらの要素に金属磁性体を分散させる場合は、多量の使用が可能である。金属光沢があると反射効果が大きいので、蛍光体の光を前面ガラス基板から十分放出することができるからである。ソフトフェライトを分散させる場合は、少量とする。黒いと反射しないので、蛍光体の光を前面ガラス基板から十分出すことができないからである。
【００４９】
（実施の形態２）
図５Ａは、本発明の実施の形態２におけるプラズマディスプレイパネルの構成の要部を示す断面図である。このパネルの基本的な構成は、図７に示したパネルと同様である。図１は、図７の放電セル１５におけるデータ電極１０方向に沿った断面の構造を示す。従って、図７と同一の要素については、同一の参照符号を付して、説明の繰り返しを省略する。
【００５０】
本実施の形態のパネルは、縦隔壁１２ａ、横隔壁１２ｂの上部に、磁性体層２１が積層されている点が、図７に示した従来例のパネルと相違する。それにより、実施の形態１の場合と同様、各電極のインダクタンスが増大している。それにより、例えば、走査電極３及び維持電極４のインダクタンスが、従来に比べて大きい所定の値に設定されている。
【００５１】
上述のようなインダクタンスの増大により、実施の形態１の場合と同様、パネル電極によるインダクタンスとパネル容量に基づく共振により、リンギングが発生し易く、リンギングのピーク値が大きくなる。そのため、放電空間には、維持パルスの波形の前縁部分に大きなオーバーシュートを有する電圧が印加される。その結果、表示電極対間から放電空間に印加される電圧は、立ち上がり時の電圧が、駆動回路から印加される維持パルスの電圧よりも高くなり、高電圧の前縁パルスを有する維持パルスの波形を印加したのと同じ効果が得られ、高効率でかつ高輝度な維持パルスの駆動を行うことが可能となる。
【００５２】
同様の効果は、図５Ｂに示すように、隔壁１２の下部に磁性体層２２が積層された構成によっても、同様に得ることが可能である。更に、図示しないが、隔壁１２の上部の磁性体層２１と下部の磁性体層２２の双方を併用した構成としてもよい。
【００５３】
インダクタンス増大の効果を得るために磁性体層を積層する対象の要素は、隔壁１２に限らず、背面ガラス基板９、バス電極３ａ、４ａ、放電セルの各境界部に設けられたブラックストライプ、データ電極１０、および背面側誘電体層１１の少なくとも一つを対象とすることで、本実施の形態の効果を得ることが可能である。
【００５４】
維持放電に大きな効果を得るためには、バス電極・ブラックストライブ・隔壁に、以下の点を考慮して磁性層を積層する。ここで、金属磁性体及びソフトフェライトを積層するとき、金属磁性体及びソフトフェライトは多くの物質は絶縁体ではないので、分散させている場合は問題ないが、積層して導電性を示す場合は、各電極間を短絡するような配置、例えば縦ブラックストライプには適応できない。また、積層して導電性を示す場合、ブラックストライプと表示電極を接触させないように配置する。
【００５５】
（１）金属磁性体からなる磁性層を、バス電極の下部・ブラックストライプの下部・縦ブラックストライプの下部に形成する。ただし、縦ブラックストライプに使用する金属磁性体は導電性が低いものとする。
【００５６】
（２）ソフトフェライトからなる磁性層を、バス電極の上部・ブラックストライプの上部・縦ブラックストライプの上部・隔壁の上部に形成する。ブラックストライプに磁性層を積層するのではなく、ブラックストライプ・縦ブラックストライプを、黒いソフトフェライト層だけで形成してもよい。ただし、縦ブラックストライプに使用するソフトフェライトは導電性が低いものとする。
【００５７】
一方、書込み放電に大きな効果を得るためには、背面ガラス基板・隔壁・データ電極・背面誘電体層に、以下の点を考慮して磁性層を積層する。
【００５８】
（１）金属磁性体からなる磁性層を、背面ガラス基板、隔壁の下部、データ電極（上部・下部）・背面誘電層に形成する。ただし,背面ガラス基板の表面、背面誘電体の表面に使用する金属磁性体は導電性が低いものとする。
【００５９】
（２）ソフトフェライトからなる磁性層を、データ電極の下部に形成する。
【００６０】
（実施の形態３）
実施の形態３におけるプラズマディスプレイパネルの駆動方法について、図６を参照して説明する。図６には、維持パルスの波形、およびそれによる放電空間への印加電圧の波形の例が、（ａ）維持パルスの立ち上がりが緩い場合、（ｂ）維持パルスの立ち上がりが中間の場合（ｃ）立ち上がりが急峻な場合について、それぞれ示される。
【００６１】
本実施の形態の駆動方法は、実施の形態１または２の構成を有するパネルを駆動するのに適した方法である。従来例の駆動方法と同様に、１フィールドを、放電セルで初期化放電を発生させる初期化期間と、放電セルで書込み放電を発生させる書込み期間と、維持パルスを表示電極対に印加して書込み放電を発生させた放電セルで維持放電を発生させる維持期間とを有する複数のサブフィールドで構成される。
【００６２】
本実施の形態の駆動方法は、基本的な条件としては、実施の形態１または２の構成を有するパネルとの組み合わせで、表示電極対間から放電空間に印加される電圧が十分なオーバーシュートを発生するように、維持パルスの立上りが急峻になるように設定される。但し、原則的には、従来と同様の構成で得られる急峻性で十分である。
【００６３】
更に、本実施の形態の駆動方法では、図６（ａ）、（ｂ）、（ｃ）に示すように、維持パルスの波形の立ち上がりに緩急の相違を持たせる。維持パルスの立ち上がりの緩急に応じて、放電空間への印加電圧に発生するリンギングのピーク値が変化する。すなわち、（ａ）の左欄に示すように維持パルス波形が緩ければ、右欄に示すようにリンギングのピーク値がほとんどなく、その結果、発光輝度が最も低くなる。これに対して、（ｂ）の左欄に示すように維持パルス波形が中間程度であれば、右欄に示すようにリンギングのピーク値が小さく、その結果、発光輝度が低くなる。これに対して、（ｃ）の左欄に示すように維持パルスの波形が急峻であれば、右欄に示すようにリンギングのピーク値が大きくなり、その結果、発光輝度が高くなる。
【００６４】
従って、維持パルス波形の緩急により、発光輝度を制御でき、画像信号に応じた組み合わせにより、サブフィールド法においてパルス数に変化をつけること以外の方法で諧調を付けることが可能になり、諧調性能を向上させることができる。
【００６５】
あるいは、所定の輝度に対し、パルス数を下げても、維持パルスを急峻にすることにより同一の輝度を得ることができるので、無効電力の削減が可能となる。
【００６６】
（実施の形態４）
実施の形態４におけるプラズマディスプレイパネルの駆動方法は、基本的には、実施の形態３における駆動方法と同様である。本実施の形態の駆動方法では、実施の形態３のような維持パルスの波形の立ち上がりの緩急に加えて、維持パルスの周期の長短を組み合わせることにより発光輝度を制御する。
【００６７】
すなわち、維持パルスの周期を長くすると、放電と放電の間隔が長くなるため、プライミング粒子が減衰する。そのため、放電遅れが大きくなり、パルス波形のリンギングが収まってから放電するので、結果としてより低輝度となる。それにより、維持パルス波形が最も緩やかな場合と同等の低輝度とすることができる。
【００６８】
また、例えば、維持パルスの波形が中間のものや最も急峻なものに適応した場合、維持パルスの周期を適切な長さにすることにより、放電をリンギングのピーク値より少し後ろにずらすことにより、ピーク値で発光するよりも小さいものにすることによって、発光輝度を適当な大きさに制御することができる。
【００６９】
このように、本実施の形態の駆動方法によれば、実施の形態３の方法に対して、更に、低階調を表現するサブフィールドで、パルス数を下ること以外で画像信号に応じた諧調を容易に付けることが可能となり、諧調性能を向上させることができる。
【産業上の利用可能性】
【００７０】
本発明のプラズマディスプレイパネルによれば、高効率でかつ高輝度な維持パルスの駆動が可能であり、壁掛けテレビや大型モニターとして有用である。
【図面の簡単な説明】
【００７１】
【図１】実施の形態１におけるプラズマディスプレイパネルの構成の要部を示す断面図
【図２】図１に対応する要部の平面構成を示す平面図
【図３】Ｖ（a）〜Ｖ（c）は維持放電時に印加される維持パルスの電圧波形およびそれによる作用を示す波形図、（Ｓ）は、Ｖ（a）〜Ｖ（c）に示される各電位差について、パネルの電極における対応する部位を示す平面図
【図４】実施の形態１のプラズマディスプレイパネルに発生したリンギング波形の例を示す波形図
【図５Ａ】実施の形態２におけるプラズマディスプレイパネルの構成の要部を示す断面図
【図５Ｂ】実施の形態２におけるプラズマディスプレイパネルの他の構成の要部を示す断面図
【図６】実施の形態３のプラズマディスプレイパネルの駆動方法における維持パルスの波形、およびそれによる放電空間への印加電圧の波形の例を示す波形図
【図７】一般的なプラズマディスプレイパネルの構成を示す斜視図
【図８】同パネルの電極配列図
【図９】維持パルスの波形、および維持パルスに対応する発光波形を示す波形図
【符号の説明】
【００７２】
１  前面板
２  前面ガラス基板
３  走査電極
３ａ、４ａ  透明電極
３ｂ、４ｂ  バス電極
４  維持電極
５  表示電極対
６  前面側誘電体層
７  保護膜
８  背面板
９  背面ガラス基板
１０  データ電極
１１  背面側誘電体層
１２、２０  隔壁
１２ａ、２０ａ  縦隔壁
１２ｂ、２０ｂ  横隔壁
１３  蛍光体層
１３ｒ  赤色（Ｒ）蛍光体層
１３ｇ  緑色（Ｇ）蛍光体層
１３ｂ  青色（Ｂ）蛍光体層
１４  放電空間
１５  放電セル
１６  ブラックストライプ
２１、２１  磁性体層
【図１】
2010050047.tif 000003
【図２】
2010050047.tif 000004
【図３】
2010050047.tif 000005
【図４】
2010050047.tif 000006
【図５Ａ】
2010050047.tif 000007
【図５Ｂ】
2010050047.tif 000008
【図６】
2010050047.tif 000009
【図７】
2010050047.tif 000010
【図８】
2010050047.tif 000011
【図９】
2010050047.tif 000012